(57)【要約】【課題】金券を短時間で真贋判定でき、新しい偽造防止技術を含む金券に代わっても従来の真贋判定システムを使用可能とした金券の真贋判定システムを提供する。【解決手段】金券情報読取装置には、予め読取方式の異なる複数種類の読取手段と読取方式選択手段とが備えられ、端末には、通信手段と、サーバから受信した読取方式特定情報を金券情報読取装置に送信し、金券情報読取装置で読み取った金券特性情報を受信する送受信手段と、表示手段と、サーバから受信した読取方式特定情報を金券情報読取装置に送信させ、金券情報読取装置で読み取った金券特性情報をサーバに送信させ、サーバから受信した真贋判定情報を表示させる制御をする制御手段とを備え、サーバには、通信手段と、金券特性情報データベースと、照合手段と、入力手段と、読取方式特定情報と真贋判定情報とを端末に送信させる制御を行う制御手段とを備えていることを特徴とする。【選択図】　　　　図４
2004070381.tif 000002
【特許請求の範囲】
【請求項１】
金券が保有する金券特性情報を読み取る金券情報読取装置が接続された端末と、通信網を介して前記端末に接続されたサーバとにより、顧客から受け取った金券に対する真贋判定を行なう金券の真贋判定システムであって、
前記金券情報読取装置には、予め読取方式の異なる複数種類の読取手段と、前記端末から受信した読取手段特定情報に基づいて、前記複数種類の読取手段の中から使用する読取手段を選択する読取手段選択手段と、が備えられ、
前記端末には、通信網を介して前記サーバと通信を行なう通信手段と、前記サーバから受信した読取手段特定情報を前記金券情報読取装置に送信すると共に、前記金券情報読取装置で読み取った前記金券特性情報を受信する送受信手段と、金券の真贋判定情報を表示する表示手段と、前記サーバから受信した読取手段特定情報を前記金券情報読取装置に送信させ、前記金券情報読取装置で読み取った前記金券特性情報を前記サーバに送信させ、更に前記サーバから受信した真贋判定情報を前記表示手段に表示させる制御を行う制御手段とを備え、
前記サーバには、通信網を介して通信を行なう通信手段と、照合用の金券特性情報が予め登録された金券特性情報データベースと、前記通信手段で受信した前記金券特性情報を前記金券特性情報データベースに登録された照合用の金券特性情報と照合する照合手段と、前記金券情報読取装置の複数種類の読取手段の中から使用する読取手段を特定する読取手段特定情報を入力する入力手段と、前記入力手段で入力した読取手段特定情報と、更に前記照合手段による照合結果の真贋判定情報とを前記端末に送信させる制御を行う制御手段とを備えていることを特徴とする金券の真贋判定システム。
【発明の詳細な説明】
【０００１】
【発明の属する技術分野】
本発明は、金銭的価値を有する商品券などの金券に関し、商品の販売者が顧客から受け取った金券に対する真贋判定を行なうための金券の真贋判定システムに関し、特に新しい金券が発行された場合でも、従来の金券情報読取装置を使用可能とすることができる金券の真贋判定システムに関する。
【０００２】
従来より、例えば、商品券、ギフトカード、ビール券、図書券などの金銭的な価値を有する金券が多種類発行され、使用されている。
これらの金券は、印刷物である場合が一般的で、これらの金券の表面の絵柄や模様を精巧に真似て印刷した偽造品が出回る危険性があり、店頭などで顧客から受け取った金券の真贋判定を正確に、スピーディーに処理することが必要となっている。
【０００３】
これらの金券の真贋判定としては、予め売場などのレジ場に各種金券の目視による照合判定用の見本の金券を用意しておき、顧客から受け取った金券とこれらの金券を目視で比較して真贋の判定を行なうなどして、偽造金券が使用されるのを防止するなどしている。
【０００４】
しかしながら、近年、金券は多種類発行されていて、これら多種類の金券の１枚１枚について短時間で正確に真贋判定を行なうのは非常に難しいという問題があり、また新たな金券が発行される毎に、その金券を真贋判定用の金券のファイルに追加しなければならず手間がかかるという問題がある。
金券の真贋判定は、その金券を使用した顧客に商品を渡す前の段階で行なわないと偽造金券の使用防止が図れないが、金券を使用した顧客を長時間待たせた状態で真贋判定を行なうのは、顧客サービス上好ましくないという問題が一方にある。
【０００５】
そこで、売場等で顧客から受け取った各種の金券について、短時間に真贋判定を行なうことを可能とし、偽造された金券が使用されるのを未然に防止する金券の真贋判定システムが望まれているが、従来より発行されている金券は、偽造防止対策として、随時、新しい偽造防止技術を取り入れた金券に切り換えることが行われている。
このため、新しい偽造防止技術を取り入れた金券に代わった場合には、従来の真贋判定システムに備えた金券に対する読取方式による読取手段が使用できないという問題がある。
【０００６】
また、金券は時々新たな偽造防止技術を取り入れた金券に切り換えて発行する場合があるが、これらの場合でも従来の読取方式による読取手段を備えた金券の真贋判定システムが使用できなくなる場合が予想され、新たな偽造防止技術に適応できるようにするために、新たな金券に対応した読取方式による読取手段を備えた金券の真贋判定システムを新たに備える必要が生じたり、新たな金券に対応した読取方式による読取手段を追加するなどの設備変更などに時間とコストがかかるという問題がある。
また、これらの場合に、従来の金券の真贋判定システムが一時的に新たな金券に対して真贋判定ができなくなるという問題がある。
【０００７】
【発明が解決しようとする課題】
本発明は、売場等で顧客から受け取った各種の金券について、短時間に真贋判定を行なうことを可能とし、偽造された金券が使用されるのを未然に防止する金券の真贋判定システムであって、たとえ新しい偽造防止技術を取り入れた金券に切り代わった場合でも、そのまま従来から使用している真贋判定システムを使用して簡単に新たな偽造防止技術を有する金券にも対応することができるようにした金券の真贋判定システムを提供する。
【０００８】
【課題を解決するための手段】
本発明の金券の真贋判定システムは、金券が保有する金券特性情報を読み取る金券情報読取装置が接続された端末と、通信網を介して前記端末に接続されたサーバとにより、顧客から受け取った金券に対する真贋判定を行なう金券の真贋判定システムであって、
前記金券情報読取装置には、予め読取方式の異なる複数種類の読取手段と、前記端末から受信した読取手段特定情報に基づいて、前記複数種類の読取手段の中から使用する読取手段を選択する読取手段選択手段と、が備えられ、
前記端末には、通信網を介して前記サーバと通信を行なう通信手段と、前記サーバから受信した読取手段特定情報を前記金券情報読取装置に送信すると共に、前記金券情報読取装置で読み取った前記金券特性情報を受信する送受信手段と、金券の真贋判定情報を表示する表示手段と、前記サーバから受信した読取手段特定情報を前記金券情報読取装置に送信させ、前記金券情報読取装置で読み取った前記金券特性情報を前記サーバに送信させ、更に前記サーバから受信した真贋判定情報を前記表示手段に表示させる制御を行う制御手段とを備え、
前記サーバには、通信網を介して通信を行なう通信手段と、照合用の金券特性情報が予め登録された金券特性情報データベースと、前記通信手段で受信した前記金券特性情報を前記金券特性情報データベースに登録された照合用の金券特性情報と照合する照合手段と、前記金券情報読取装置の複数種類の読取手段の中から使用する読取手段を特定する読取手段特定情報を入力する入力手段と、前記入力手段で入力した読取手段特定情報と、更に前記照合手段による照合結果の真贋判定情報とを前記端末に送信させる制御を行う制御手段とを備えていることを特徴とする。
【０００９】
【発明の実施の形態】
以下、本発明の実施の形態を図面に基づいて詳細に説明する。
図１は、本発明の実施形態に係る金券の真贋判定システムの全体構成図、図２は、従来より使用されている金券の一例を示す金券の表面の平面図、図３は、従来の金券に新たな偽造防止技術が追加された金券の一例を示す金券の表面の平面図、図４は、本発明の実施形態に係る金券の真贋判定システムのシステムブロック図、図５は、本発明の実施形態に係る金券の真贋判定システムの処理手順を示すフローチャートである。
【００１０】
まず、本発明に係る金券の真贋判定システムの実施形態の概要を図１に基づいて説明する。
図１に示すように、金券取扱店の店舗１の売場のレジには、商品の購入代金として顧客から入手した金券２の特性情報を読み取るための金券情報読取装置３と、この金券情報読取装置３が接続された端末４が設置されている。
【００１１】
この金券情報読取装置３が接続された端末４は、店員が顧客から金券を受け取った際に、受け取った金券２を直ぐに金券情報読取装置３にセットすることが可能な場所にそれぞれ設置しておくことが好ましく、また、それらを設置する台数は売場の必要に応じて任意に定めればよい。
これは、例えば店員が顧客との対応の間に、顧客から受け取った金券が本物であるか否かを確認し、もしも偽造金券であった場合には、素早く通報すると共に商品をその顧客に渡さないようにするなどの対処ができるようにするためである。
【００１２】
そして、端末４は、インターネット等の通信網５を介して、管理センター６などに設置されているサーバ７と通信可能に接続されている。
金券情報読取装置３が接続された端末４は、例えば百貨店等の１店舗内の各売場のレジに設けて、全てのレジにおいて金券の真贋判定を行なえるようにする。また、百貨店等の大型店舗に限らず、金券を使用して商品購入やサービスの提供を行なっている店舗などに設置されて、どの端末からでもサーバ７と通信できるように接続されている。
【００１３】
本発明をわかりやすく説明するために、図２に従来の金券２ａを示し、図３に従来の金券に新たな偽造防止技術が追加されて発行された新発行の金券２ｂを示す。
例えば、図２に示す従来の金券２ａには、偽造防止技術として、磁性インキによる管理番号３と、赤外線吸収インキを使用した模様４が表示されている。
また、新発行の金券２ｂには、上記の偽造防止技術に追加されてホログラム５がストライプ状に転写されている。
【００１４】
そして、金券情報読取装置３には、これらの種々の偽造防止技術に対応可能な種々の読取手段が複数種類備えられている。
この読取手段としては、例えば磁性インキ読取手段、赤外線吸収インキ読取手段、ホログラム読取手段、画像読取手段、などの金券の真偽判定に必要な照合用の情報が金券に備えられた偽造防止技術から読み取れるように構成され、これらの複数種類の読取手段から金券に対応した読取手段を選択して使用できるようになっている。
【００１５】
次に、本発明の実施形態に係る金券の真贋判定システムのシステム構成を図４に基づいて説明する。
図４には、複数箇所に設置された金券情報読取装置が接続された端末の内、一例として、一台の金券情報読取装置３が接続された端末４が通信網５を介してサーバ７と通信可能に接続されている場合が示されている。
【００１６】
金券情報読取装置３には、例えば磁性インキ読取手段８ａ、赤外線吸収インキ読取手段８ｂ、ホログラム読取手段８ｃ、などの異なる読取方式が複数種類設けられた各読取手段と、端末４から受信した読取手段特定情報に基づいて、これらの複数種類の読取方式の中から使用する読取手段を選択する読取手段選択手段９と、端末４と情報の送受信を行う送受信手段１０と、制御手段１１とが備えられている。
【００１７】
また、端末４には、通信網５を介してサーバ７と通信を行なう通信手段１２と、サーバ７から受信した金券情報読取装置の複数種類の各読取手段８ａ，８ｂ，８ｃの中から、特定の読取手段を特定する読取手段特定情報を金券情報読取装置３に送信すると共に、金券情報読取装置３で金券２から読み取った金券特性情報を受信する送受信手段１３と、金券の真贋判定情報を表示する表示手段１４と、サーバ７から受信した読取手段特定情報を金券情報読取装置３に送信させ、金券情報読取装置３で読み取った金券特性情報をサーバ７に送信させ、更にサーバ７から受信した真贋判定情報を表示手段１４に表示させる制御をする制御手段１５と、記憶手段１６と、入力手段１７と、制御手段１８が備えられている。
【００１８】
また、サーバ７には、通信網５を介して通信を行なう通信手段１９と、照合用の金券特性情報が予め登録された金券特性情報データベース２０と、通信手段１９で受信した金券特性情報を金券特性情報データベース２０に登録された照合用の金券特性情報と照合する照合手段２１と、金券情報読取装置２の複数種類の読取方式の中から使用する読取手段を特定する読取手段特定情報を入力する入力手段２２と、前記入力手段２２で入力した読取方式特定情報と、更に前記照合手段による照合結果の真贋判定情報とを前記端末に送信させる制御を行う制御手段２３と、記憶手段２４とを備えている。
【００１９】
また、金券特性情報データベース２０には、通信網５を介して端末４から送られてきた金券特性情報と照合するための、照合用の金券特性情報が予め登録されている。
金券特性情報データベース２０に登録される金券特性情報としては、例えば磁性インキ読取手段、赤外線吸収インキ読取手段、ホログラム読取手段、画像読取手段、などから読み取られた情報と照合して、本物であるか否かを判定可能な照合用の金券特性情報が予め登録されている。
また、記憶手段２４には、制御プログラムなどが格納されていて、この制御プログラムにより制御手段２３による処理手順などがコントロールされている。
【００２０】
次に、本発明の金券の真贋判定システムの処理手順を、図５に示すフローチャートに基づいて説明する。
まず、従来の金券２ａの代わりにホログラム５を有する新発行の金券２ｂが発行された場合に、管理センター６のサーバ７の入力手段２２から、金券情報読取装置３に備えられているホログラム読取手段８ｃを機能させるための読取手段特定情報である指示情報を入力する（ステップＳ１）。
そして、この読取手段特定情報である指示情報は、サーバ７の通信手段１９から通信網５を介して端末４へ送信され、更に金券情報読取装置３に送られる（ステップＳ２）。
【００２１】
金券情報読取装置３では、受信したホログラム読取手段８ｃを特定して機能させる指示情報に基づいて、新発行の金券２ｂの特性情報を読み取る場合に、従来の磁性インキ読取手段８ａと赤外線吸収インキ読取手段８ｂに追加して、ホログラム読取手段８ｃでも新発行の金券２ｂが有する特性情報を読み取れるように、読取手段選択手段９により読取機能の選択がされる（ステップＳ３）。
これらの処理により、金券情報読取装置３では新発行の金券での代金支払いなどでの取扱いの際に、追加されたホログラムによる新発行の金券２ｂの真偽判定処理が行える状態とすることができる。
【００２２】
そして、店舗１で店員が顧客から代金の支払いなどとして、新発行の金券２ｂを受け取った場合、その店員は、受け取った金券２を金券情報読取装置３にセットする（ステップＳ４）。
そして、金券情報読取装置３にセットすることで、金券情報読取装置３に備えられた磁性インキ読取手段８ａと赤外線吸収インキ読取手段８ｂとホログラム読取手段８ｃの各読取手段による金券特性情報の読取りが行われる（ステップＳ５）。
【００２３】
次に、金券情報読取装置３から端末４に読み取られた金券特性情報を送り、更に端末４から通信網５を介して管理センター６に設置されているサーバ７に送信される（ステップＳ６）。
金券特性情報を受信したサーバ７は、照合手段２１で金券特性情報データベース２０に登録されている照合用の金券特性情報との照合処理が行なわれ、真贋判定をする（ステップＳ７）。
【００２４】
そして、照合手段２１による照合処理の結果である真贋判定情報を通信網５を介して端末４に送信される（ステップＳ８）。
サーバ７から送信された真贋判定情報を受信した端末４は、ディスプレイ等の表示手段１４にこれらの真贋判定情報を表示する（ステップＳ９）。
そして、表示手段１４に表示された真贋判定情報により、店員が新発行の金券２ｂの真偽を確認した後、金券が本物であると確認した場合に顧客が購入しようとした商品を顧客に渡す。
以上の処理により、顧客から金券を受け取った際に、短時間で受け取った金券の真偽をチェックすることができるものである。
【００２５】
【発明の効果】
以上説明したように、本発明の金券の真贋判定システムは、金券情報読取装置３に予め読取方式の異なる複数種類の読取手段を設けておき、必要に応じてこれらの読取方式の中から読取方式の選択を行うことができるので、たとえ新しい偽造防止技術を取り入れた金券に切り代わった場合でも、そのまま従来から使用している真贋判定システムを使用して簡単に新たな偽造防止技術を有する金券にも対応することができるという効果がある。
また、サーバの金券特性情報データベースに登録されている照合用の金券特性情報との照合処理で真贋判定を行なうことができるので、売場等で顧客から受け取った各種の金券を短時間で真偽判定することができるので、偽造された金券が使用されるのを未然に防止することができるという効果がある。
【図面の簡単な説明】
【図１】本発明の実施形態に係る金券の真贋判定システムの全体構成図である。
【図２】従来より使用されている金券の一例を示す金券の表面の平面図である。
【図３】従来の金券に新たな偽造防止技術が追加された金券の一例を示す金券の表面の平面図である。
【図４】本発明の実施形態に係る金券の真贋判定システムのシステムブロック図である。
【図５】
本発明の実施形態に係る金券の真贋判定システムの処理手順を示すフローチャ
ートである。
【符号の説明】
１　店舗
２，２ａ，２ｂ　金券
３　金券情報読取装置
４　端末
５　通信網
６　管理センター
７　サーバ
８ａ，８ｂ，８ｃ　読取手段
９　読取方式選択手段
１０，１３　送受信手段
１１，１８，２３　制御手段
１２，１９　通信手段
１４　表示手段
１６　記憶手段
１７，２２　入力手段
２０　金券特性情報データベース
２１　照合手段
【図１】
2004070381.tif 000003
【図２】
2004070381.tif 000004
【図３】
2004070381.tif 000005
【図４】
2004070381.tif 000006
【図５】
2004070381.tif 000007